(57)【特許請求の範囲】
【請求項１】
流体を識別する流体識別装置であって、
前記流体に印加する交流電圧の周波数を制御して、前記流体の電気的特徴量の周波数特性を取得する周波数特性取得部と、
前記流体の電気的特徴量の周波数特性を、流体の種類ごとに記憶する記憶部と、
前記周波数特性取得部により取得された周波数特性と、前記記憶部に記憶されている周波数特性と、を比較して、前記周波数特性取得部により周波数特性が取得された流体を識別する識別部と、を備え、
前記周波数特性取得部は、前記周波数特性として、
予め定められた周波数から前記交流電圧の周波数を変化させ、前記流体の電気的特徴量の周波数特性を表す曲線の傾きが閾値未満になった際における前記交流電圧の周波数および前記流体の電気的特徴量と、
前記曲線の傾きが前記閾値未満になった後に前記交流電圧の周波数をさらに変化させ、前記曲線が変曲点を迎えた際における前記曲線の傾きと、を取得することを特徴とする流体識別装置。
【請求項２】
流体を識別する流体識別装置であって、
前記流体に印加する交流電圧の周波数を制御して、前記流体の電気的特徴量の周波数特性を取得する周波数特性取得部と、
前記流体の電気的特徴量の周波数特性を、流体の種類ごとに記憶する記憶部と、
前記周波数特性取得部により取得された周波数特性と、前記記憶部に記憶されている周波数特性と、を比較して、前記周波数特性取得部により周波数特性が取得された流体を識別する識別部と、を備え、
前記周波数特性取得部は、前記周波数特性として、
予め定められた周波数から前記交流電圧の周波数を変化させ、前記流体の電気的特徴量の周波数特性を表す曲線の傾きが閾値以上になった際における前記交流電圧の周波数および前記流体の電気的特徴量と、
前記曲線の傾きが前記閾値以上になった後に前記交流電圧の周波数をさらに変化させ、前記曲線が変曲点を迎えた際における前記曲線の傾きと、を取得することを特徴とする流体識別装置。
【請求項３】
前記流体の電気的特徴量として、前記流体の誘電率と、前記流体の導電率と、のうち少なくともいずれかを用いることを特徴とする請求項１または２のいずれか１項に記載の流体識別装置。
【請求項４】
前記識別部は、前記周波数特性取得部により取得された周波数特性と、記憶している周波数特性のそれぞれと、の類似度が所定値未満であるか否かを判断し、
前記記憶部は、前記識別部により前記類似度が前記所定値未満であると判断されると、前記周波数特性取得部により周波数特性が取得された流体についての情報の入力を受け付けて、前記周波数特性取得部により取得された周波数特性と、前記入力を受け付けた情報と、を関連づけて記憶することを特徴とする請求項１から３のいずれか１項に記載の流体識別装置。
【発明の詳細な説明】
【技術分野】
【０００１】
本発明は、流体識別装置に関する。
【背景技術】
【０００２】
流体の状態を検出する技術が提案されている（例えば、特許文献１参照）。
【０００３】
特許文献１には、回転部や摺動部に循環供給され、これら各部品の摩耗を防いで円滑に動作させるためのオイルについて、劣化を判断するオイル劣化検出装置が示されている。このオイル劣化検出装置は、オイル流路に互いに並行して設置された２枚の極板を備えており、これら２枚の極板間に交流電圧を印加することによりオイルの導電率および誘電率を求め、導電率および誘電率に基づいてオイルの劣化を判断する。
【先行技術文献】
【特許文献】
【０００４】
【特許文献１】特開２００９−２６９３号公報
【発明の概要】
【発明が解決しようとする課題】
【０００５】
誘電率や導電率といった流体の電気的特徴量は、流体の劣化の度合いによっても変化するが、流体の種類、製造メーカ、銘柄などによっても変化する。しかし、特許文献１に示されているオイル劣化検出装置では、流体の種類、製造メーカ、および銘柄と、流体の電気的特徴量と、の関係について考慮されていない。このため、特許文献１に示されているオイル劣化検出装置は、流体を識別することができず、流体の種類、製造メーカ、銘柄が予め分かっていなければ、流体の電気的特徴量を求めても、流体の劣化を適正に判断することはできなかった。
【０００６】
そこで、本発明は、上述の課題に鑑みてなされたものであり、流体を識別する流体識別装置を提供する。
【課題を解決するための手段】
【０００７】
本発明の１またはそれ以上の実施形態は、流体を識別する流体識別装置であって、前記流体に印加する交流電圧の周波数を制御して、前記流体の電気的特徴量の周波数特性を取得する周波数特性取得部と、前記流体の電気的特徴量の周波数特性を、流体の種類ごとに記憶する記憶部と、前記周波数特性取得部により取得された周波数特性と、前記記憶部に記憶されている周波数特性と、に基づいて、前記周波数特性取得部により周波数特性が取得された流体を識別する識別部と、を備え、前記識別部は、流体の電気的特徴量の周波数特性を表す曲線の傾きと、前記曲線の傾きの変化量の絶対値が閾値以上になった際における前記交流電圧の周波数および前記流体の電気的特徴量と、のうち少なくともいずれかについて、前記周波数特性取得部により取得された周波数特性と、前記記憶部に記憶されている周波数特性と、で比較して、前記流体を識別することを特徴とする。
【発明の効果】
【０００８】
本発明の１またはそれ以上の実施形態によれば、流体を識別することができる。
【図面の簡単な説明】
【０００９】
【図１】本発明の第１実施形態に係る流体識別装置のブロック図である。
【図２】本発明の第１実施形態に係る流体識別装置が備える周波数特性取得部の概略構成図である。
【図３】潤滑油の誘電率の周波数特性の一例を示すグラフである。
【図４】本発明の第１実施形態に係る流体識別装置のフローチャートである。
【図５】本発明の第２実施形態に係る流体識別装置のブロック図である。
【図６】潤滑油の導電率の周波数特性の一例を示すグラフである。
【発明を実施するための形態】
【００１０】
以下、本発明の実施の形態について図面を参照しながら説明する。なお、以下の実施形態における構成要素は適宜、既存の構成要素などとの置き換えが可能であり、また、他の既存の構成要素との組み合わせを含む様々なバリエーションが可能である。このため、以下の実施形態の記載をもって、特許請求の範囲に記載された発明の内容を限定するものではない。
【００１１】
＜第１実施形態＞
図１は、本発明の第１実施形態に係る流体識別装置１のブロック図である。流体識別装置１は、周波数特性取得部１０、記憶部２０、および識別部３０を備えており、機器内の潤滑油を識別する。
【００１２】
周波数特性取得部１０は、機器内の潤滑油に印加する交流電圧の周波数を制御して、潤滑油の誘電率の周波数特性を取得する。記憶部２０は、潤滑油の誘電率の周波数特性を、潤滑油ごとに記憶する。識別部３０は、周波数特性取得部１０により取得された周波数特性と、記憶部２０に記憶されている周波数特性と、に基づいて、周波数特性取得部１０により周波数特性が取得された潤滑油を識別する。
【００１３】
図２は、周波数特性取得部１０の概略構成図である。周波数特性取得部１０は、円柱状の基部１１と、基部１１に立設された一対の電極１２、１３と、電源部１４と、取得部１５と、を備える。
【００１４】
電極１２、１３は、平板状の極板であり、互いに並行して配置されている。電源部１４は、潤滑油の中に設置された電極１２、１３の間に交流電圧を印加するとともに、この交流電圧の周波数を予め定められた周波数範囲の中で制御する。予め定められた周波数範囲は、例えば機器内に投入される可能性のある潤滑油の誘電率の周波数特性に応じて適宜設定され、例えば１ｋＨｚから１００ＭＨｚの範囲に設定される。
【００１５】
取得部１５は、電源部１４により周波数が制御されている交流電圧が電極１２、１３に印加されている状態において、電極１２、１３の間の潤滑油の誘電率を求めることにより、潤滑油の誘電率の周波数特性を取得する。
【００１６】
なお、取得部１５は、潤滑油の誘電率の周波数特性として、第１の周波数ｆ１と、第１の周波数ｆ１における誘電率ε１と、第２の周波数ｆ２における曲線の傾きΔε２と、の３つのパラメータを取得する。これら３つのパラメータについて、図３を用いて以下に説明する。
【００１７】
図３は、潤滑油の誘電率の周波数特性の一例を示すグラフである。潤滑油の誘電率の周波数特性は、潤滑油の種類（具体的には、品名、品番、グレードなど）、製造メーカ、銘柄などに応じて異なる。特に、第１の周波数ｆ１と、第１の周波数ｆ１における誘電率ε１と、第２の周波数ｆ２における曲線の傾きΔε２と、の３つのパラメータの値は、潤滑油の種類、製造メーカ、銘柄などに応じて大きく異なる。そこで、本実施形態では、第１の周波数ｆ１と、第１の周波数ｆ１における誘電率ε１と、第２の周波数ｆ２における曲線の傾きΔε２と、の３つのパラメータについて、周波数特性取得部１０により取得された周波数特性と、記憶部２０に記憶されている周波数特性と、で比較して、周波数特性取得部１０により周波数特性が取得された潤滑油を識別する。
【００１８】
まず、第１の周波数ｆ１について、以下に説明する。
電極１２、１３の間に印加する交流電圧の周波数を下限周波数ｆｍｉｎから上昇させていくと、潤滑油の誘電率の周波数特性を表す曲線の傾きが次第に小さくなっていく。第１の周波数ｆ１とは、潤滑油の誘電率の周波数特性を表す曲線の傾きが閾値未満になった際における交流電圧の周波数のことである。
【００１９】
次に、第１の周波数ｆ１における誘電率ε１について、以下に説明する。
第１の周波数ｆ１における誘電率ε１とは、第１の周波数ｆ１における潤滑油の誘電率のことである。
【００２０】
次に、第２の周波数ｆ２における曲線の傾きΔε２について、以下に説明する。
電極１２、１３の間に印加する交流電圧の周波数を第１の周波数ｆ１からさらに上昇させていくと、潤滑油の誘電率の周波数特性を表す曲線が変曲点を迎える。潤滑油の誘電率の周波数特性を表す曲線の変曲点における、電極１２、１３の間に印加する交流電圧の周波数を第２の周波数ｆ２とすると、第２の周波数ｆ２における曲線の傾きΔε２とは、潤滑油の誘電率の周波数特性を表す曲線の第２の周波数ｆ２における傾きのことである。
【００２１】
なお、記憶部２０は、潤滑油の誘電率の周波数特性を、機器内に投入される可能性のある潤滑油ごとに予め記憶している。また、詳細については図４を用いて後述するが、記憶部２０は、周波数特性取得部１０により取得された周波数特性と、予め記憶された周波数特性と、の類似度が所定値未満である場合、すなわち周波数特性取得部１０により取得された周波数特性と類似または同一の周波数特性を記憶していない場合に、周波数特性取得部１０により取得された周波数特性を、ユーザから入力を受け付けた機器内の潤滑油についての情報と関連づけて新たに記憶する。
【００２２】
以上の周波数特性取得部１０、記憶部２０、および識別部３０は、ＣＰＵ、メモリ（ＲＡＭ）、ハードディスクなどを用いて実現される。
【００２３】
ハードディスクは、オペレーティングシステムや、潤滑油を識別するための一連の処理を実行するためのプログラムなどを記憶する。なお、ハードディスクは、非一時的な記録媒体であればよく、例えば、ＥＰＲＯＭやフラッシュメモリといった不揮発性のメモリ、ＣＤ−ＲＯＭなどであってもよい。
【００２４】
ＣＰＵは、メモリを適宜利用して、ハードディスクに記憶されているデータやプログラムを適宜読み出して、演算や実行を適宜行う。
【００２５】
図４は、流体識別装置１のフローチャートである。
ステップＳ１において、流体識別装置１は、周波数特性取得部１０により、機器内の潤滑油に印加する交流電圧の周波数を制御して、潤滑油の誘電率の周波数特性を取得し、ステップＳ２に処理を移す。
なお、潤滑油が機器に投入されてから時間が経過するに従って、潤滑油の酸化や異物混入などにより潤滑油の状態が変化し、潤滑油の誘電率も変化する。このため、流体識別装置１は、潤滑油が機器に投入されてから予め定められた時間が経過するまでの期間に、ステップＳ１の処理を行う。
【００２６】
ステップＳ２において、流体識別装置１は、識別部３０により、ステップＳ１において取得した周波数特性と、記憶部２０に記憶されている周波数特性のそれぞれと、の類似度を算出し、ステップＳ３に処理を移す。
【００２７】
ステップＳ２における類似度の算出について、以下に詳述する。
例えば、ステップＳ１において取得した周波数特性と、記憶部２０に記憶されている潤滑油Ａの周波数特性と、の類似度を算出する場合を説明する。この場合、まず、ステップＳ１において取得した上述の３つのパラメータの値のそれぞれと、記憶部２０に記憶されている潤滑油Ａについての上述の３つのパラメータの値のそれぞれと、の類似度を求める。次に、求めた３つの類似度の平均値を、ステップＳ１において取得した周波数特性と、記憶部２０に記憶されている潤滑油Ａの周波数特性と、の類似度として算出する。
【００２８】
ステップＳ３において、流体識別装置１は、識別部３０により、ステップＳ２において算出した類似度のうち最も高いものが、所定値未満であるか否かを判別する。流体識別装置１は、識別部３０により、所定値未満であると判別した場合、すなわちステップＳ１において取得した周波数特性と類似または同一の周波数特性が記憶部２０に記憶されていない場合には、ステップＳ４に処理を移す。一方、所定値以上であると判別した場合、すなわちステップＳ１において取得した周波数特性と類似または同一の周波数特性が記憶部２０に記憶されている場合には、ステップＳ５に処理を移す。
【００２９】
ステップＳ４において、流体識別装置１は、識別部３０により、ステップＳ１において取得した周波数特性を記憶部２０に記憶させ、図４に示す処理を終了する。
なお、ステップＳ４の処理後に、流体識別装置１は、機器内の潤滑油の種類、製造メーカ、および銘柄の入力をユーザから受け付けて、ステップＳ４において記憶部２０に記憶させた周波数特性に、潤滑油の種類、製造メーカ、および銘柄を関連づける。
【００３０】
ステップＳ５において、流体識別装置１は、識別部３０により、記憶部２０に記憶されている周波数特性のうち、ステップＳ２において最も高い類似度を算出した際の周波数特性を有する潤滑油を、機器内の潤滑油として識別し、図４に示す処理を終了する。
【００３１】
以上のように、流体識別装置１は、周波数特性取得部１０により、潤滑油の誘電率の周波数特性を取得し、識別部３０により、周波数特性取得部１０により取得された周波数特性と、記憶部２０により記憶されている潤滑油ごとの周波数特性と、に基づいて潤滑油を識別する。このため、潤滑油の誘電率の周波数特性を用いて、機器内の潤滑油を識別することができる。
【００３２】
また、流体識別装置１は、潤滑油の誘電率の周波数特性として、第１の周波数ｆ１と、第１の周波数ｆ１における誘電率ε１と、第２の周波数ｆ２における曲線の傾きΔε２と、の３つのパラメータを用いる。このため、潤滑油の種類、製造メーカ、および銘柄に応じて大きく異なるパラメータを用いて潤滑油を識別することができるので、機器内の潤滑油を適切に識別することができる。
【００３３】
また、流体識別装置１は、識別部３０により、周波数特性取得部１０により取得した周波数特性と、記憶部２０に記憶されている周波数特性のそれぞれと、の類似度を算出し、最も高い類似度が所定値未満であれば、周波数特性取得部１０により取得した周波数特性を記憶部２０に記憶させる。このため、周波数特性取得部１０により取得した周波数特性と類似または同一の周波数特性が記憶部２０に記憶されていない場合には、この周波数特性が新たに記憶部２０に記憶されることになる。したがって、記憶部２０に周波数特性を新たに記憶させた潤滑油について、種類、製造メーカ、および銘柄の入力を受け付け、入力を受け付けた情報を、記憶部２０に新たに記憶させた周波数特性に関連づけることで、流体識別装置１が識別することのできる潤滑油を増やしていくことができる。
【００３４】
また、潤滑油が機器に投入されてから時間が経過するに従って、潤滑油の酸化や異物混入などにより潤滑油の状態が変化し、潤滑油の誘電率も変化する。
そこで、流体識別装置１は、潤滑油が機器に投入されてから予め定められた時間が経過するまでの期間に、周波数特性取得部１０により潤滑油の誘電率の周波数特性を取得する。このため、取得する潤滑油の誘電率の周波数特性に対する、時間経過に伴う影響を抑えることができ、機器内の潤滑油を適切に識別することができる。
【００３５】
なお、本実施形態では、潤滑油の誘電率の周波数特性として、第１の周波数ｆ１と、第１の周波数ｆ１における誘電率ε１と、第２の周波数ｆ２における曲線の傾きΔε２と、の３つのパラメータを用いた。しかし、これに限らず、これら３つのパラメータのうち少なくとも１つを用いればよい。
【００３６】
また、本実施形態では、電極１２、１３の間に印加する交流電圧の周波数を下限周波数ｆｍｉｎから上昇させて、上述の３つのパラメータを求めた。しかし、これに限らず、電極１２、１３の間に印加する交流電圧の周波数を上限周波数ｆｍａｘから低下させて、上述の３つのパラメータを求めてもよい。
【００３７】
また、本実施形態では、電極１２、１３の間に印加する交流電圧の周波数を第１の周波数ｆ１から上昇させて、潤滑油の誘電率の周波数特性を表す曲線の変曲点における交流電圧の周波数を第２の周波数ｆ２とし、第２の周波数ｆ２における曲線の傾きΔε２を、上述の３つのパラメータのうちの１つとして用いた。しかし、これに限らず、図３において第５の周波数ｆ５を求め、第１の周波数ｆ１から第５の周波数ｆ５の間における上述の曲線の傾きを、第２の周波数ｆ２における曲線の傾きΔε２の代わりに用いてもよい。
なお、電極１２、１３の間に印加する交流電圧の周波数を第１の周波数ｆ１から上昇させていくと、潤滑油の誘電率の周波数特性を表す曲線が変曲点を迎えた後に、この曲線の傾きが次第に大きくなっていく。第５の周波数ｆ５とは、潤滑油の誘電率の周波数特性を表す曲線の傾きが閾値以上になった際における交流電圧の周波数のことである。
【００３８】
また、本実施形態では、第１の周波数ｆ１を、電極１２、１３の間に印加する交流電圧の周波数を下限周波数ｆｍｉｎから上昇させていき、潤滑油の誘電率の周波数特性を表す曲線の傾きが閾値未満になった際における交流電圧の周波数とした。しかし、これに限らず、第１の周波数ｆ１を、電極１２、１３の間に印加する交流電圧の周波数を下限周波数ｆｍｉｎから上昇させていき、下限周波数ｆｍｉｎにおける誘電率に対して誘電率が所定の割合だけ減少した際における交流電圧の周波数としてもよい。
【００３９】
また、本実施形態では、機器内の潤滑油を識別したが、これに限らず、流体であれば識別することができる。
【００４０】
また、本実施形態では、平板状の極板で電極１２、１３を形成し、これら電極１２、１３を互いに並行して配置した。しかし、これに限らず、例えば円柱状や楕円柱状の極板で電極１２、１３を形成してもよい。また、例えば同軸円筒型コンデンサーのように、内径が異なる２つの円筒状の極板で電極１２、１３を形成し、それぞれの中心軸が一致した状態で電極１２、１３のいずれか一方をいずれか他方の内部に配置してもよい。
【００４１】
また、本実施形態では、潤滑油の誘電率の周波数特性を用いた。しかし、これに限らず、潤滑油の導電率の周波数特性も用いたり、誘電率でも導電率でもない潤滑油の電気的特徴量を用いたり、この電気的特徴量も用いたりしてもよい。
【００４２】
＜第２実施形態＞
図５は、本発明の第２実施形態に係る流体識別装置１Ａのブロック図である。図１に示した本発明の第１実施形態に係る流体識別装置１は、潤滑油の誘電率の周波数特性を用いて機器内の潤滑油を識別するのに対して、本実施形態に係る流体識別装置１Ａは、潤滑油の導電率の周波数特性を用いて機器内の潤滑油を識別する。流体識別装置１Ａは、周波数特性取得部１０Ａ、記憶部２０Ａ、および識別部３０Ａを備える。なお、第１実施形態と同様の形態をしている部分については、同一の符号を付して、その説明を省略する。
【００４３】
周波数特性取得部１０Ａは、機器内の潤滑油に印加する交流電圧の周波数を制御して、潤滑油の導電率の周波数特性を取得する。記憶部２０Ａは、潤滑油の導電率の周波数特性を、潤滑油ごとに記憶する。識別部３０Ａは、周波数特性取得部１０Ａにより取得された周波数特性と、記憶部２０Ａに記憶されている周波数特性と、に基づいて、周波数特性取得部１０Ａにより周波数特性が取得された潤滑油を識別する。
【００４４】
周波数特性取得部１０Ａは、図２に示した本発明の第１実施形態に係る周波数特性取得部１０とは、取得部１５の代わりに取得部１５Ａを備える点で、異なる。取得部１５Ａは、潤滑油の導電率の周波数特性として、第３の周波数ｆ３と、第３の周波数ｆ３における導電率σ３と、第４の周波数ｆ４における曲線の傾きΔσ４と、の３つのパラメータを取得する。これら３つのパラメータについて、図６を用いて以下に説明する。
【００４５】
図６は、潤滑油の導電率の周波数特性の一例を示すグラフである。潤滑油の導電率の周波数特性は、潤滑油の種類、製造メーカ、銘柄などに応じて異なる。特に、第３の周波数ｆ３と、第３の周波数ｆ３における導電率σ３と、第４の周波数ｆ４における曲線の傾きΔσ４と、の３つのパラメータの値は、潤滑油の種類、製造メーカ、銘柄などに応じて大きく異なる。そこで、本実施形態では、第３の周波数ｆ３と、第３の周波数ｆ３における導電率σ３と、第４の周波数ｆ４における曲線の傾きΔσ４と、の３つのパラメータについて、周波数特性取得部１０Ａにより取得された周波数特性と、記憶部２０Ａに記憶されている周波数特性と、で比較して、周波数特性取得部１０Ａにより周波数特性が取得された潤滑油を識別する。
【００４６】
まず、第３の周波数ｆ３について、以下に説明する。
電極１２、１３の間に印加する交流電圧の周波数を下限周波数ｆｍｉｎから上昇させていくと、潤滑油の導電率の周波数特性を表す曲線の傾きが次第に大きくなっていく。第３の周波数ｆ３とは、潤滑油の導電率の周波数特性を表す曲線の傾きが閾値以上になった際における交流電圧の周波数のことである。
【００４７】
次に、第３の周波数ｆ３における導電率σ３について、以下に説明する。
第３の周波数ｆ３における導電率σ３とは、第３の周波数ｆ３における潤滑油の導電率のことである。
【００４８】
次に、第４の周波数ｆ４における曲線の傾きΔσ４について、以下に説明する。
電極１２、１３の間に印加する交流電圧の周波数を第３の周波数ｆ３からさらに上昇させていくと、潤滑油の導電率の周波数特性を表す曲線が変曲点を迎える。潤滑油の導電率の周波数特性を表す曲線の変曲点における、電極１２、１３の間に印加する交流電圧の周波数を第４の周波数ｆ４とすると、第４の周波数ｆ４における曲線の傾きΔσ４とは、潤滑油の導電率の周波数特性を表す曲線の第４の周波数ｆ４における傾きのことである。
【００４９】
以上の周波数特性取得部１０Ａ、記憶部２０Ａ、および識別部３０Ａは、周波数特性取得部１０、記憶部２０、および識別部３０と同様に、ＣＰＵ、メモリ（ＲＡＭ）、ハードディスクなどを用いて実現される。
【００５０】
以上の流体識別装置１Ａは、本発明の第１実施形態に係る流体識別装置１と同様の効果を奏することができる。
【００５１】
なお、本実施形態では、潤滑油の導電率の周波数特性として、第３の周波数ｆ３と、第３の周波数ｆ３における導電率σ３と、第４の周波数ｆ４における曲線の傾きΔσ４と、の３つのパラメータを用いた。しかし、これに限らず、これら３つのパラメータのうち少なくとも１つを用いればよい。
【００５２】
また、本実施形態では、電極１２、１３の間に印加する交流電圧の周波数を下限周波数ｆｍｉｎから上昇させて、上述の３つのパラメータを求めた。しかし、これに限らず、電極１２、１３の間に印加する交流電圧の周波数を上限周波数ｆｍａｘから低下させて、上述の３つのパラメータを求めてもよい。
【００５３】
また、本実施形態では、電極１２、１３の間に印加する交流電圧の周波数を第３の周波数ｆ３から上昇させて、潤滑油の導電率の周波数特性を表す曲線の変曲点における交流電圧の周波数を第４の周波数ｆ４とし、第４の周波数ｆ４における曲線の傾きΔσ４を、上述の３つのパラメータのうちの１つとして用いた。しかし、これに限らず、図６において第６の周波数ｆ６を求め、第３の周波数ｆ３から第６の周波数ｆ６の間における上述の曲線の傾きを、第４の周波数ｆ４における曲線の傾きΔσ４の代わりに用いてもよい。
なお、電極１２、１３の間に印加する交流電圧の周波数を第３の周波数ｆ３から上昇させていくと、潤滑油の導電率の周波数特性を表す曲線が変曲点を迎えた後に、この曲線の傾きが次第に小さくなっていく。第６の周波数ｆ６とは、潤滑油の導電率の周波数特性を表す曲線の傾きが閾値未満になった際における交流電圧の周波数のことである。
【００５４】
また、本実施形態では、第３の周波数ｆ３を、電極１２、１３の間に印加する交流電圧の周波数を下限周波数ｆｍｉｎから上昇させていき、潤滑油の導電率の周波数特性を表す曲線の傾きが閾値以上になった際における交流電圧の周波数とした。しかし、これに限らず、第３の周波数ｆ３を、電極１２、１３の間に印加する交流電圧の周波数を下限周波数ｆｍｉｎから上昇させていき、下限周波数ｆｍｉｎにおける導電率に対して導電率が所定の割合だけ増加した際における交流電圧の周波数としてもよい。
【００５５】
また、本実施形態では、機器内の潤滑油を識別したが、これに限らず、流体であれば識別することができる。
【００５６】
また、本実施形態では、平板状の極板で電極１２、１３を形成し、これら電極１２、１３を互いに並行して配置した。しかし、これに限らず、例えば円柱状や楕円柱状の極板で電極１２、１３を形成してもよい。また、例えば同軸円筒型コンデンサーのように、内径が異なる２つの円筒状の極板で電極１２、１３を形成し、それぞれの中心軸が一致した状態で電極１２、１３のいずれか一方をいずれか他方の内部に配置してもよい。
【００５７】
また、本実施形態では、潤滑油の導電率の周波数特性を用いた。しかし、これに限らず、潤滑油の誘電率の周波数特性も用いたり、誘電率でも導電率でもない潤滑油の電気的特徴量を用いたり、この電気的特徴量も用いたりしてもよい。
【００５８】
以上、この発明の実施形態につき、図面を参照して詳述してきたが、具体的な構成は上述の実施形態に限られるものではなく、この発明の要旨を逸脱しない範囲の設計なども含まれる。
【００５９】
なお、本発明は、例えば水圧機器に適用することもできる。
【符号の説明】
【００６０】
１、１Ａ    流体識別装置
１０、１０Ａ    周波数特性取得部
１１    基部
１２、１３    電極
１４    電源部
１５、１５Ａ    取得部
２０、２０Ａ    記憶部
３０、３０Ａ    識別部
【図１】
0006782098.tif 000002
【図２】
0006782098.tif 000003
【図３】
0006782098.tif 000004
【図４】
0006782098.tif 000005
【図５】
0006782098.tif 000006
【図６】
0006782098.tif 000007